(57)【要約】      （修正有）【課題】水中以外または傾き過ぎると電源がオフになるガラス管ヒーターを提供する。【解決手段】ガラス管１０と、蓋体２０と、温度表示ユニット３０と、からなり、ガラス管内には、防水センサー４０または傾斜スイッチ、制御回路板５０、トライアック（ＴＲＩＡＣ）６０または継電器のうちのいずれか、発熱部品７０が設けられ、制御回路板は制御ユニット（ＭＣＵまたはコンパレータ）を備え、ガラス管において各部品が電気的に接続されることで制御ループが構成される。温度制御装置、感知装置、加熱装置等の裝置をガラス管内に入れ、防水センサーにより水から出ているかを感知し、発熱部品による加熱の有無を制御し、水から出た場合に素早く確実に加熱を停止することで、加熱されて温度が高くなりすぎ、水面を離れた後も加熱され続けるのが防止される。また、ヒーターが傾き過ぎている場合、傾斜スイッチによって発熱部品の加熱を停止させる。【選択図】図１
0003226376.tif 000002
【実用新案登録請求の範囲】
【請求項１】
ガラス管と、前記ガラス管の端部に連結される蓋体と、温度表示ユニットと、か
らなるガラス管ヒーターであって、
前記ガラス管内には、防水センサーと、制御回路板と、スイッチング素子と、発熱部品が設けられ、前記制御回路板は、制御ユニットを備え、前記制御回路板は、前記温度表示ユニットに電気的に接続され、
前記防水センサー、前記制御ユニット、前記スイッチング素子、前記発熱部品を電気的に接続させることで制御ループが構成され、
前記防水センサーが水中であると感知すると、信号が前記制御ユニットに送信され、前記制御ユニットによって、感知された水温に基づき、前記スイッチング素子への接続及び導電が制御され、さらに、前記発熱部品による加熱の有無が制御され、
前記防水センサーが水から出ていると感知すると、信号が前記制御ユニットに送信され、前記スイッチング素子の電源が切られることで、前記発熱部品が加熱されないようにすることを特徴とする、ガラス管ヒーター。
【請求項２】
ガラス管と、前記ガラス管の端部に連結される蓋体と、温度表示ユニットと、か
らなるガラス管ヒーターであって、
前記ガラス管内には、傾斜スイッチと、制御回路板と、スイッチング素子と、発熱部品が設けられ、前記制御回路板は、制御ユニットを備え、前記制御回路板は、前記温度表示ユニットに電気的に接続され、
前記傾斜スイッチ、前記制御ユニット、前記スイッチング素子、前記発熱部品を電気的に接続させることで制御ループが構成され、
前記傾斜スイッチは、信号を前記制御ユニットに送信し、前記制御ユニットに
よって、感知された水温に基づき、前記スイッチング素子への接続及び導電が制御され、さらに、前記発熱部品による加熱の有無が制御され、
前記ヒーターが傾き過ぎている場合、前記傾斜スイッチは、信号を前記制御ユニットに送信し、前記制御ユニットによって前記スイッチング素子の電源が切られることで、前記発熱部品が加熱されないようにすることを特徴とする、ガラス管ヒーター。
【請求項３】
前記制御ユニットは、ＭＣＵ（Ｍｉｃｒｏ  Ｃｏｎｔｒｏｌ  Ｕｎｉｔ、マイクロコントローラ）またはコンパレータのうちのいずれかであることを特徴とする、請求項１と請求項２のいずれかに記載のガラス管ヒーター。
【請求項４】
前記発熱部品は、温度ヒューズまたは発熱器のうちのいずれかから選択されることを特徴とする、請求項１と請求項２のいずれかに記載のガラス管ヒーター。
【請求項５】
前記温度表示ユニットは、スケール型から選択され、ノブによって温度が設定されることを特徴とする、請求項１と請求項２のいずれかに記載のガラス管ヒーター。
【請求項６】
前記温度表示ユニットは、シングル表示またはタブル表示のうちのいずれかから選択されることを特徴とする、請求項１と請求項２のいずれかに記載のガラス管ヒーター。
【請求項７】
前記スイッチング素子は、トライアック（ＴＲＩＡＣ）または継電器のうちのいずれかであることを特徴とする、請求項１と請求項２のいずれかに記載のガラス管ヒーター。
【考案の詳細な説明】
【技術分野】
【０００１】
本考案は、水槽用のヒーターに関し、特に、水中以外では電源がオフになる、または、傾き過ぎると電源がオフになるガラス管ヒーターに関する。
【背景技術】
【０００２】
現代の仕事に追われる社会において、人々は、一般に様々な余暇を過ごしている。例えば、室内に水槽を置いて水生動植物を飼育したり、魚の飼育または水草の栽培を仕事とすることによって、魚が水中で優雅に泳いでいる様子を見て、適度にリラックスしたりしている。
【０００３】
観賞魚を飼育する際、水槽における水温のコントロールは、魚の飼育を成功させる重要な要素であり、現在は、いずれもヒーターによって水槽の温度を一定に保っているが、水槽の水温が低くなりすぎないようにする必要があり、特に、冬は、水温を一定に保つことが非常に重要である。ほとんどの魚は、水温が低すぎて死亡することはないが、不適切な水温は、魚の体色や食欲に影響を及ぼす。
【０００４】
従来のガラス管ヒーターは、水中以外では電源がオフになる保護作用を備えていなかったため、水槽用ヒーターの余熱が高すぎる、または、水温のコントロールが適切でない状況が度々生じており、例えば、水槽の水が蒸発することで水位が下がっているが、気づかず水を足さなかったことで、加熱されたガラス管が高温により破裂するといった状況が度々生じているため、ガラス管ヒーターには改善が必要とされる欠点が存在する。
【考案の概要】
【考案が解決しようとする課題】
【０００５】
本考案は、主に、水を離れると素早く確実に加熱が停止されることで、水温が高くなりすぎるのを防止することのできる水中以外では電源がオフになるガラス管ヒーターを提供することを目的とする。
【０００６】
本考案は、さらに、ヒーターが傾き過ぎている場合、加熱を停止させることができることで、水温が高くなりすぎるのを防止することのできる水中以外では電源がオフになるガラス管ヒーターを提供することを目的とする。
【課題を解決するための手段】
【０００７】
上述の目的を達成するため、本考案のガラス管ヒーターは、ガラス管と、前記ガラス管の端部に連結される蓋体と、温度表示ユニットと、からなる。前記ガラス管内には、防水センサーと、制御回路板と、トライアック（ＴＲＩＡＣ）または継電器のうちのいずれかと、発熱部品が設けられ、前記制御回路板は、制御ユニットを備え、前記制御回路板は、前記温度表示ユニットに電気的に接続される。前記防水センサー、前記制御ユニット、前記トライアック（ＴＲＩＡＣ）または継電器のうちのいずれか、前記発熱部品を電気的に接続させることで制御ループが構成される。前記防水センサーが水中であると感知すると、信号が前記制御ユニットに送信され、前記制御ユニットによって、感知された水温に基づき、前記トライアック（ＴＲＩＡＣ）または前記継電器のうちのいずれかへの接続及び導電が制御され、さらに、前記発熱部品による加熱の有無が制御される。前記防水センサーが水から出ていると感知すると、信号が前記制御ユニットに送信され、前記制御ユニットは、前記トライアック（ＴＲＩＡＣ）または前記継電器のうちのいずれかの電源を切ることで、前記発熱部品が加熱できないようにする。
【０００８】
上述のさらに別の目的を達成するため、本考案のヒーターは、ガラス管と、前記ガラス管の端部に連結される蓋体と、温度表示ユニットと、からなる。前記ガラス管内には、傾斜スイッチと、制御回路板と、トライアック（ＴＲＩＡＣ）または継電器のうちのいずれかと、発熱部品が設けられ、前記制御回路板は、制御ユニットを備え、前記制御回路板は、前記温度表示ユニットに電気的に接続される。前記傾斜スイッチ、前記制御ユニット、前記トライアック（ＴＲＩＡＣ）または継電器のうちのいずれか、前記発熱部品を電気的に接続させることで制御ループが構成される。そのうち、前記傾斜スイッチは、信号を前記制御ユニットに送信することができ、前記制御ユニットは、感知された水温に基づき、前記トライアック（ＴＲＩＡＣ）または前記継電器のうちのいずれかへの接続及び導電を制御し、さらに、前記発熱部品による加熱の有無を制御する。前記ヒーターが傾き過ぎている場合、前記傾斜スイッチは、信号を前記制御ユニットに送信することができ、前記制御ユニットは、前記トライアック（ＴＲＩＡＣ）または前記継電器のうちのいずれかの電源を切ることで、前記発熱部品が加熱できないようにする。
【考案の効果】
【０００９】
本考案は、温度制御装置、感知装置、加熱装置等の裝置をガラス管内に入れ、防水センサーによって水から出ているかどうかを感知し、発熱部品による加熱の有無を制御し、水から出た場合に素早く確実に加熱を停止することで、加熱されて温度が高くなりすぎ、水面を離れた後も加熱され続けるという状況を防ぐことができる。
【００１０】
本考案は、温度制御装置、感知装置、加熱装置等の裝置をガラス管内に入れ、ヒーターが傾き過ぎている場合、傾斜スイッチによって発熱部品の加熱を停止させることで、断電安全保護作用を備える。
【図面の簡単な説明】
【００１１】
【図１】本考案の斜視分解図である。
【図２】本考案における温度表示ユニットの別の実施例を示した図である。
【図３】本考案における温度表示ユニットのさらに別の実施例を示した図である。
【図４】本考案におけるガラス管の別の実施例を示した図である。
【図５】本考案における別の構造の実施例を示した図である。
【考案を実施するための形態】
【００１２】
図１を参照する。本考案のヒーターは、ガラス管１０と、前記ガラス管１０の端部に連結される蓋体２０と、温度表示ユニット３０と、からなる。
【００１３】
前記ガラス管１０内には、防水センサー４０と、制御回路板５０と、スイッチング素子６０（トライアックＴＲＩＡＣまたは継電器のうちのいずれかであることができる）と、発熱部品７０が設けられ、前記制御回路板５０は、制御ユニット（未図示）を備え、前記制御回路板５０は、前記温度表示ユニット３０に電気的に接続される。本考案におけるトライアック（ＴＲＩＡＣ）６０と継電器の作用及び効果は、同じであるため、本考案の図では、トライアック（ＴＲＩＡＣ）６０のみを実施例として図示している。
【００１４】
前記防水センサー４０、前記制御ユニット、前記トライアック（ＴＲＩＡＣ）６０または継電器のうちのいずれか、前記発熱部品７０が電気的に接続されることで制御ループが構成される。
【００１５】
前記防水センサー４０が水中であると感知すると、信号が前記制御ユニットに送信され、前記制御ユニットによって、感知された水温に基づき、前記トライアック（ＴＲＩＡＣ）６０または前記継電器のうちのいずれかへの接続及び導電が制御され、さらに、前記発熱部品７０による加熱の有無が制御される。
【００１６】
前記防水センサー４０が水から出ていると感知すると、信号が前記制御ユニットに送信され、前記制御ユニットによって、前記トライアック（ＴＲＩＡＣ）６０または前記継電器のうちのいずれかの電源が切られることで、前記発熱部品７０が加熱されないようにする。
【００１７】
従って、温度制御装置、感知装置、加熱装置等の裝置をガラス管内に入れ、防水センサーによって水から出ているかどうかを感知し、発熱部品による加熱の有無を制御し、水から出た場合に素早く確実に加熱を停止することで、加熱されて温度が高くなりすぎ、水面を離れた後も加熱され続けるという状況を防ぐことができる。
【００１８】
以下に実施例を示して説明する。
【００１９】
実施例において、前記制御ユニットは、ＭＣＵ（Ｍｉｃｒｏ  Ｃｏｎｔｒｏｌ  Ｕｎｉｔ、マイクロコントローラ）またはコンパレータのうちのいずれかである。
【００２０】
実施例において、前記発熱部品７０は、温度ヒューズまたは発熱器のうちのいずれかから選択される。
【００２１】
実施例において、前記温度表示ユニット３０は、スケール型から選択され、ノブ３１によって温度が設定される。
【００２２】
図２、図３を参照する。実施例において、前記温度表示ユニット３０は、シングル表示またはタブル表示から選択される。
【００２３】
図４を参照する。実施例において、前記ガラス管１０にプラスチック管８０が外装されることで、防水效果が高まる。
【００２４】
図５を参照する。本考案のヒーターは、別の構造を備える実施例において、ガラス管１０と、前記ガラス管１０の端部に連結される蓋体２０と、温度表示ユニット３０と、からなる。
【００２５】
前記ガラス管１０内には、傾斜スイッチ７１と、制御回路板５０と、スイッチング素子６０（トライアックＴＲＩＡＣまたは継電器のうちのいずれかであることができる）と、発熱部品７０が設けられ、前記制御回路板５０は、制御ユニット（未図示）を備え、前記制御回路板５０は、前記温度表示ユニット３０に電気的に接続される。本考案におけるトライアック（ＴＲＩＡＣ）６０と継電器の作用及び効果は、同じであるため、本考案の図では、トライアック（ＴＲＩＡＣ）６０のみを実施例として図示している。
【００２６】
前記傾斜スイッチ７１、前記制御ユニット、前記トライアック（ＴＲＩＡＣ）６０または継電器のうちのいずれか、前記発熱部品７０を電気的に接続させることで制御ループが構成される。
【００２７】
そのうち、前記傾斜スイッチ７１は、信号を前記制御ユニットに送信することができ、前記制御ユニットによって、感知された水温に基づき、前記トライアック（ＴＲＩＡＣ）６０または前記継電器のうちのいずれかへの接続及び導電が制御され、さらに、前記発熱部品７０による加熱の有無が制御される。
【００２８】
ヒーターが傾き過ぎている場合、傾斜スイッチ７１は、信号を制御ユニットに送信することができ、制御ユニットによって、前記トライアック（ＴＲＩＡＣ）または前記継電器のうちのいずれかの電源が切られることで、前記発熱部品７０が加熱されないようにする。
【００２９】
従って、温度制御装置、感知装置、加熱装置等の裝置をガラス管内に入れ、ヒーターが傾き過ぎている場合、傾斜スイッチによって発熱部品の加熱を停止させることで、断電安全保護作用を備える。
【符号の説明】
【００３０】
１０  ガラス管
２０  蓋体
３０  温度表示ユニット
３１  ノブ
４０  防水センサー
５０  制御回路板
６０  トライアック（ＴＲＩＡＣ）
７０  発熱部品
７１  傾斜スイッチ
８０  プラスチック管  
【図１】
0003226376.tif 000003
【図２】
0003226376.tif 000004
【図３】
0003226376.tif 000005
【図４】
0003226376.tif 000006
【図５】
0003226376.tif 000007
【手続補正書】
【提出日】令和2年3月4日(2020.3.4)
【手続補正１】
【補正対象書類名】実用新案登録請求の範囲
【補正対象項目名】全文
【補正方法】変更
【補正の内容】
【実用新案登録請求の範囲】
【請求項１】
ガラス管と、前記ガラス管の端部に連結される蓋体と、前記ガラス管内に収容される温度表示ユニットと、を備えたガラス管ヒーターであって、
前記ガラス管内には、水を感知する防水センサーと、制御回路板と、前記制御回路板上に載置されたスイッチング素子と、前記制御回路板の下方に連結された発熱部品が設けられ、前記制御回路板は、制御ユニットを備え、前記制御回路板は、前記温度表示ユニットに電気的に接続され、
前記防水センサー、前記制御ユニット、前記スイッチング素子、前記発熱部品を電気的に接続させることで制御ループが構成され、
前記防水センサーが水中であると感知すると、信号が前記制御ユニットに送信され、前記制御ユニットによって、感知された水温に基づき、前記スイッチング素子への接続及び導電が制御され、さらに、前記発熱部品による加熱の有無が制御され、
前記防水センサーが水から出ていると感知すると、信号が前記制御ユニットに送信され、前記スイッチング素子の電源が切られることで、前記発熱部品が加熱されないようにすることを特徴とする、ガラス管ヒーター。
【請求項２】
ガラス管と、前記ガラス管の端部に連結される蓋体と、前記ガラス管内に収容される温度表示ユニットと、を備えたガラス管ヒーターであって、
前記ガラス管内には、前記ガラス管ヒーターの傾きを感知する傾斜スイッチと、制御回路板と、前記制御回路板上に載置されたスイッチング素子と、前記制御回路板の下方に連結された発熱部品が設けられ、前記制御回路板は、制御ユニットを備え、前記制御回路板は、前記温度表示ユニットに電気的に接続され、
前記傾斜スイッチ、前記制御ユニット、前記スイッチング素子、前記発熱部品を電気的に接続させることで制御ループが構成され、
前記傾斜スイッチは、信号を前記制御ユニットに送信し、前記制御ユニットによって、感知されたガラス管ヒーターの傾きに基づき、前記スイッチング素子への接続及び導電が制御され、さらに、前記発熱部品による加熱の有無が制御され、
前記ガラス管ヒーターが傾き過ぎている場合、前記傾斜スイッチは、信号を前記制御ユニットに送信し、前記制御ユニットによって前記スイッチング素子の電源が切られることで、前記発熱部品が加熱されないようにすることを特徴とする、ガラス管ヒーター。
【請求項３】
前記制御ユニットは、ＭＣＵ（Ｍｉｃｒｏ  Ｃｏｎｔｒｏｌ  Ｕｎｉｔ、マイクロコントローラ）またはコンパレータのうちのいずれかであることを特徴とする、請求項１と請求項２のいずれかに記載のガラス管ヒーター。
【請求項４】
前記発熱部品は、温度ヒューズまたは発熱器のうちのいずれかから選択されることを特徴とする、請求項１と請求項２のいずれかに記載のガラス管ヒーター。
【請求項５】
前記温度表示ユニットは、スケール型から選択され、ノブによって温度が設定されることを特徴とする、請求項１と請求項２のいずれかに記載のガラス管ヒーター。
【請求項６】
前記温度表示ユニットは、シングル表示またはタブル表示のうちのいずれかから選択されることを特徴とする、請求項１と請求項２のいずれかに記載のガラス管ヒーター。
【請求項７】
前記スイッチング素子は、トライアック（ＴＲＩＡＣ）または継電器のうちのいずれかであることを特徴とする、請求項１と請求項２のいずれかに記載のガラス管ヒーター。
【手続補正２】
【補正対象書類名】明細書
【補正対象項目名】０００７
【補正方法】変更
【補正の内容】
【０００７】
上述の目的を達成するため、本考案のガラス管ヒーターは、ガラス管と、前記ガラス管の端部に連結される蓋体と、前記ガラス管内に収容される温度表示ユニットと、を備えている。前記ガラス管内には、水を感知する防水センサーと、制御回路板と、前記制御回路板上に載置されたスイッチング素子と、前記制御回路板の下方に連結された発熱部品が設けられ、前記ガラス管内には、水を感知する防水センサーと、制御回路板と、前記制御回路板上に載置されたトライアック（ＴＲＩＡＣ）または継電器のうちのいずれかと、前記制御回路板の下方に連結された発熱部品が設けられ、前記制御回路板は、制御ユニットを備え、前記制御回路板は、前記温度表示ユニットに電気的に接続される。前記防水センサー、前記制御ユニット、前記トライアック（ＴＲＩＡＣ）または継電器のうちのいずれか、前記発熱部品を電気的に接続させることで制御ループが構成される。前記防水センサーが水中であると感知すると、信号が前記制御ユニットに送信され、前記制御ユニットによって、感知された水温に基づき、前記トライアック（ＴＲＩＡＣ）または前記継電器のうちのいずれかへの接続及び導電が制御され、さらに、前記発熱部品による加熱の有無が制御される。前記防水センサーが水から出ていると感知すると、信号が前記制御ユニットに送信され、前記制御ユニットは、前記トライアック（ＴＲＩＡＣ）または前記継電器のうちのいずれかの電源を切ることで、前記発熱部品が加熱できないようにする。
【手続補正３】
【補正対象書類名】明細書
【補正対象項目名】０００８
【補正方法】変更
【補正の内容】
【０００８】
上述のさらに別の目的を達成するため、本考案のヒーターは、ガラス管と、前記ガラス管の端部に連結される蓋体と、前記ガラス管内に収容される温度表示ユニットと、を備えている。前記ガラス管内には、前記ガラス管ヒーターの傾きを感知する傾斜スイッチと、制御回路板と、前記制御回路板上に載置されたトライアック（ＴＲＩＡＣ）または継電器のうちのいずれかと、前記制御回路板の下方に連結された発熱部品が設けられ、前記制御回路板は、制御ユニットを備え、前記制御回路板は、前記温度表示ユニットに電気的に接続される。前記傾斜スイッチ、前記制御ユニット、前記トライアック（ＴＲＩＡＣ）または継電器のうちのいずれか、前記発熱部品を電気的に接続させることで制御ループが構成される。そのうち、前記傾斜スイッチは、信号を前記制御ユニットに送信することができ、前記制御ユニットは、感知されたガラス管ヒーターの傾きに基づき、前記トライアック（ＴＲＩＡＣ）または前記継電器のうちのいずれかへの接続及び導電を制御し、さらに、前記発熱部品による加熱の有無を制御する。前記ヒーターが傾き過ぎている場合、前記傾斜スイッチは、信号を前記制御ユニットに送信することができ、前記制御ユニットは、前記トライアック（ＴＲＩＡＣ）または前記継電器のうちのいずれかの電源を切ることで、前記発熱部品が加熱できないようにする。